(57)【要約】【課題】外ケースと内ケースとが確実に嵌合できると共に、交換がし易く、また、嵌合部の耐久性がよい電子機器を提供する。【解決手段】折り畳み式の携帯端末３００（不図示）は、第１筐体１００と第２筐体２００（不図示）とがヒンジ１５０により開閉自在に連結されている。第１筐体１００は、外ケース１０、着せ替えパネル１１、内ケース２０を有する。外ケース１０は、着せ替えパネル１１を内包して、内ケース２０に嵌合着脱される。この嵌合部５０として、外ケース１０には、嵌合用のワイヤ用爪１３がある。内ケース２０には、前記ワイヤ用爪１３と対峙する位置に嵌合用のワイヤ２３が側面に沿って配置される。外ケース１０を内ケース２０側に押し込むと、ワイヤ２３が側面から他の側面側への方向にずれながら、ワイヤ２３がワイヤ用爪１３に乗り上げた状態で嵌合する。【選択図】図２
2010045635.tif 000002
【特許請求の範囲】
【請求項１】
内ケースと外ケースとが嵌合して、外ケース側に主面、内ケース側に背面、および両側面を構成する電子機器であって、
前記外ケースは、嵌合爪を有し、
前記内ケースは、前記主面から背面への第１の方向で前記嵌合爪と対峙して前記側面の長手方向に沿って設けられたバネ製のワイヤを有し、
前記外ケースを前記第１の方向に向けて内ケースに嵌合させる途中段階では、前記ワイヤは、前記嵌合爪の前記背面側の面に押されて前記一側面から他の側面への第２の方向へと逃げ、嵌合の最終段階では、前記ワイヤは、前記第２の方向の逆の方向へ戻って前記嵌合爪の前記主面側の面に乗り上げ、その状態で外ケースと内ケースとが嵌合状態となることを特徴とする電子機器。
【請求項２】
前記嵌合の最終段階で、前記ワイヤが前記嵌合爪の前記主面側の面に乗り上げた状態では、前記ワイヤは、前記ワイヤの初期位置よりも前記主面側に持ち上がって、ワイヤの前記第１の方向への付勢力が発生していることを特徴とする請求項１記載の電子機器。
【請求項３】
前記外ケースは、さらに、前記嵌合爪と前記一側面との間に凹部を有し、
前記内ケースは、さらに、前記下方向で前記凹部と対峙する位置に配置された凸部を有し、
前記嵌合の最終段階では、さらに、前記凹部に凸部が係合した状態となることを特徴とする請求項１記載の電子機器。
【請求項４】
前記ワイヤは、略中央部がループ形状を成し、
前記内ケースは、さらに、前記ループ部分を係止する係止部を設けて、前記ワイヤのループ部分を係止し、前記ワイヤの端部は移動自由とし、
前記ワイヤの移動自由な部分と前記嵌合爪とが嵌合することを特徴とする請求項１記載の電子機器。
【請求項５】
前記ワイヤの移動自由な部分は、常に、前記嵌合爪を前記第２の方向の逆の方向へと押し出す付勢力を有することを特徴とする請求項４記載の電子機器。
【請求項６】
着せ替えパネルを有する電子機器と、この電子機器に装着して前記着せ替えパネルの交換を行なうパネル取替え治具とを有するシステムであって、
前記電子機器は、
第１の筐体と第２の筐体とがヒンジで連結された折り畳み形状であり、
前記第１の筐体は、
前記第２の筐体に対面する内ケースと、
この内ケースを覆うように嵌合して、内ケースの両側面より外側に飛び出た両側面端部を有する外ケースと、
内ケースと外ケースとの間に内包する着せ替えパネルを有し、
前記パネル取替え治具は、
略Ｈ型の形状であり、中央部に前記内ケースの両側面間の幅が入る第１の段差部と、
この第１の段差部の両端部に設けられた第２の段差部とを備え、
前記パネル取替え治具の第１の段差部を、前記電子機器のヒンジの近傍で第１の筐体と第２の筐体との間に挟んで、第１の筐体と第２の筐体を折り畳むことにより、前記外ケースの両側面端部が前記第２の段差部に乗り上げて、前記内ケースと外ケースとの嵌合が外れることを特徴とするシステム。
【請求項７】
内ケースと外ケースとが嵌合して、外ケース側に主面、内ケース側に背面、および両側面を構成し、この内ケースに折り畳み式ヒンジの一方が固着された電子機器であって、
前記外ケースは、嵌合爪を有し、
前記内ケースは、前記主面から背面への第１の方向で前記嵌合爪に対峙して前記側面の長手方向に沿って設けられて端部が前記ヒンジまで延伸したバネ製のワイヤを有し、
前記ワイヤが前記嵌合爪の前記主面側の面に乗り上げた状態で外ケースと内ケースとが嵌合状態となり、
前記ヒンジは、
このヒンジの軸方向に押し込んで前記折り畳みの開放を行うと共に、前記ワイヤの端部を収納係止する溝部が穿設されたヒンジキャップを有し、
前記ヒンジキャップをヒンジの軸方向に押し込むことで、前記嵌合爪に嵌合した前記ワイヤを前記一側面から他の側面への第２の方向へと逃がして前記嵌合状態を解除することを特徴とする電子機器。
【請求項８】
さらに、前記内ケースと外ケースの間に、この内ケースと外ケースが離れる方向の付勢力を有する解除バネを設け、
前記嵌合状態を解除したときに、前記解除バネの付勢力により前記内ケースと外ケースが離れることを特徴とする請求項７記載の電子機器。
【発明の詳細な説明】
【技術分野】
【０００１】
本発明は、携帯電話機等の電子機器および治具システムに関し、特に、電子機器の外ケースと内ケースの嵌合部の構造に関する。
【背景技術】
【０００２】
携帯電話機の着せ替えパネルは、携帯電話機の筐体本体との間で、凸部と凹部とで嵌合するものが多い。このような携帯電話機がある（例えば、特許文献１参照。）。この特許文献１の図１および図５に示されるように、着脱自在な化粧パネル１４には、第１の嵌合凸部２６ａ、２６ｂと、第２の嵌合凸部２７ａ、２７ｂと、圧入ボス２８ａ、２８ｂが形成されている。また、表示部本体３には、第１の嵌合孔１９ａ、１９ｂと、第２の嵌合孔２０ａ、２０ｂと、取付孔２１ａ、２１ｂ、圧入ブッシュ２２ａ、２２ｂが形成されている。
【０００３】
そして、取付け時は、使用者は、まず、第１の嵌合凸部２６ａ、２６ｂを第１の嵌合孔１９ａ、１９ｂに垂直な状態で差し込み、次に、この第１の嵌合部を支点にして化粧パネル１４を回動しながら、化粧パネル１４の中央部をたわませるようにして、爪状の第２の嵌合凸部２７ａ、２７ｂを第２の嵌合孔２０ａ、２０ｂに嵌合させ、最後に、圧入ボス２８ａ、２８ｂを圧入ブッシュ２２ａ、２２ｂに圧入している。取り外し時は、前記と逆の順序で行う。
【特許文献１】特開２００２−１２５０２２号公報（段落［００１４〜００３７］、図１、図５）
【発明の開示】
【発明が解決しようとする課題】
【０００４】
特許文献１の携帯電話機では、第２の嵌合凸部２７ａ、２７ｂと第２の嵌合孔２０ａ、２０ｂとの嵌合は、化粧パネル１４の中央部をたわませるようにして行うが、使用者のたわませ具合によっては、第２の嵌合凸部２７ａ、２７ｂと第２の嵌合孔２０ａ、２０ｂとがこすれてしまう状況が発生する。この第２の嵌合凸部２７ａ、２７ｂおよび、第２の嵌合孔２０ａ、２０ｂ周辺は、樹脂製であり、化粧パネル１４の脱着を繰り返すと、この部分が削れてしまい、確実な嵌合が保証できなくなるおそれがある。
【０００５】
本発明は、外ケースと内ケースとが確実に嵌合できると共に、交換がし易く、また、嵌合部の耐久性がよい電子機器および治具システムを提供することを目的とする。
【課題を解決するための手段】
【０００６】
上記目的を達成するために、本発明の電子機器は、内ケースと外ケースとが嵌合して、外ケース側に主面、内ケース側に背面、および両側面を構成する電子機器であって、前記外ケースは、嵌合爪を有し、前記内ケースは、前記主面から背面への第１の方向で前記嵌合爪と対峙して前記側面の長手方向に沿って設けられたバネ製のワイヤを有し、前記外ケースを前記第１の方向に向けて内ケースに嵌合させる途中段階では、前記ワイヤは、前記嵌合爪の前記背面側の面に押されて前記一側面から他の側面への第２の方向へと逃げ、嵌合の最終段階では、前記ワイヤは、前記第２の方向の逆の方向へ戻って前記嵌合爪の前記主面側の面に乗り上げ、その状態で外ケースと内ケースとが嵌合状態となることを特徴とする。
【発明の効果】
【０００７】
本発明によれば、外ケースと内ケースとが確実に嵌合できると共に、交換がし易く、また、嵌合部の耐久性がよい構造の電子機器および治具システムとすることができる。
【発明を実施するための最良の形態】
【０００８】
以下、本発明の各実施例について説明する。
【実施例１】
【０００９】
図１は、本発明の実施例１に係る携帯端末３００（電子機器）の外観斜視図である。携帯端末３００は、第１筐体１００と第２筐体２００がヒンジ１５０で開閉自在に連結された構造である。第１筐体１００は、閉じられた状態で第２筐体２００と対面する面に、図示しない受話器や主表示部が設けられる筐体である。第２筐体２００は、対面する面に、送話器７１、テンキー７２などが設けられる筐体である。
【００１０】
第１筐体１００は、さらに、外ケース１０、着せ替えパネル１１（図１のハッチング部分）、内ケース２０を有する。内ケース２０は、第１筐体１００のベースとなるケースであり、ヒンジ１５０に固着され、各種部品が搭載される。
【００１１】
外ケース１０は、着せ替えパネル１１を内包した状態で、内ケース２０に嵌合される。ユーザは、外ケース１０と内ケース２０との嵌合を行ない、また嵌合を外すことにより、着せ替えパネル１１を自在に交換することができる。嵌合の詳細については、図２以降で述べる。
【００１２】
着せ替えパネル１１には、副表示部用窓１２があり、そこから、内ケース２０に取り付けられた副表示部２１が見える。
【００１３】
着せ替えパネル１１側の面、すなわち外ケース１０側を主面、内ケース２０側を背面、サイド二面を側面と称し、以降、同様に称する。また、以降、外ケース１０に設けられる部材の符号は１０番台で表し、内ケース２０に設けられる部材の符号は２０番台で表す。
【００１４】
図２は、本発明の実施例１に係る第１筐体１００の分解斜視図である。第１筐体１００は、外ケース１０、着せ替えパネル１１、内ケース２０、目隠しパネル２２などから構成される。
【００１５】
外ケース１０と内ケース２０との嵌合を外した時に、内ケース２０上の各種部品などが見えないようにするために、目隠しパネル２２は、内ケース２０に取り付けられるものである。
【００１６】
次に、外ケース１０と内ケース２０との嵌合を行なう嵌合部５０（点線○印部分）について説明する。外ケース１０には、ワイヤ用爪１３（嵌合爪）と凸部１４が設けられる。この点線○印部分が、側面側近辺に計４箇所設けられる。
【００１７】
内ケース２０には、主面から背面へ向かう方向で前記ワイヤ用爪１３と凸部１４に対峙する位置に、バネ性のワイヤ２３と凹部２４が設けられる。ワイヤ２３は、側面の長手方向に延伸している。この点線○印部分が、側面側近辺に計４箇所設けられる。
【００１８】
そして、外ケース１０を内ケース２０の方向へと押し込むと、ワイヤ用爪１３とワイヤ２３とが嵌合する。また、凸部１４と凹部２４とが嵌合する。本発明の特徴は、このワイヤ用爪１３とワイヤ２３との嵌合部分であり、この部分について、以下さらに詳しく説明する。
【００１９】
図３は、本発明の実施例１に係る第１筐体１００の構造図である。（Ａ）は主面図、（Ｂ）は側面図である。（Ｃ）（Ｄ）（Ｅ）は、（Ａ）の嵌合部５０の部分に図示したＸ１−Ｘ１断面、Ｘ２−Ｘ２断面、Ｘ３−Ｘ３断面の各断面図である。外ケース１０は、内ケース２０を外側から覆うように被せられて嵌合する。
【００２０】
（Ｃ）Ｘ１−Ｘ１断面部分では、凸部１４と凹部２４とが嵌合している。  
（Ｄ）Ｘ２−Ｘ２断面部分では、ワイヤ用爪１３の主面側がワイヤ２３により背面側に向かって押し付けられる状態で嵌合している。また、外ケース１０の側面側とワイヤ用爪１３との間には、ガイド凹部１５が設けられており、内ケース２０には、前記ガイド凹部１５に対峙する位置にガイド凸部２５が設けられ、ガイド凹部１５にガイド凸部２５が嵌まる構造である。
【００２１】
（Ｅ）Ｘ３−Ｘ３断面部分では、内ケース２０には、ストッパ２６が設けられ、ワイヤ２３の端部がワイヤ２３の付勢力で主面側および側面側へは動かないように係止されている。ワイヤ２３の端部は、他の側面側へは移動可能である。
【００２２】
なお、外ケース１０は、内ケース２０を外側から覆うように被せる構造なので、内ケース２０の内ケース側面端部２０ａより外側に、外ケース１０の外ケース側面端部１０ａが配置されている。嵌合を取り外す場合には、この外ケース側面端部１０ａを治具により、主面側に持ち上げるようにして取り外すが、その詳細は、図５で説明する。
【００２３】
次に、嵌合部５０の内、ワイヤ用爪１３とワイヤ２３との嵌合部分の動きについて詳しく説明する。  
図４は、本発明の実施例１に係る嵌合部５０の構造斜視図である。ワイヤ用爪１３とワイヤ２３に関連したものを主に示す。（Ａ）は斜視図である。（Ｂ）は、（Ａ）のＸ−Ｘ方向から見た図であり、図３（Ｄ）Ｘ２−Ｘ２相当である。（Ｃ）は、（Ａ）のＹ−Ｙ方向から見た図である。
【００２４】
外ケース１０には、ワイヤ用爪１３とガイド凹部１５が設けられる。内ケース２０には、前記ワイヤ用爪１３とガイド凹部１５に対峙する位置に、ワイヤ２３とガイド凸部２５が設けられる。内ケース２０には、さらに、ワイヤ２３を係止するためのストッパ２６、２７、２８が設けられる。ストッパ２７は、円柱状である。ストッパ２６、２８は、側面側と主面側が壁になっている。
【００２５】
ワイヤ２３は、例えば、ピアノ線やＳＵＳ製の弾力を有するワイヤであり、（Ｃ）の単品状態に示すように、途中がループ部２３ｂのようにループしており、ワイヤ単品状態では、端部２３ａ、２３ｃが開いた形状である。このループ部２３ｂを円柱状のストッパ２７に差し込み、端部２３ａ、２３ｃをストッパ２６、２８に突き当てた状態で係止させる。
【００２６】
したがって、ワイヤ２３の端部２３ａには、（Ｃ）に示す右方向矢印の付勢力（側面側への方向の付勢力）が常時働いている。また、端部２３ａは、（Ｂ）（Ｃ）の図の左方向（他の側面側への方向）に対してはストッパの壁がないので、付勢力には逆らうがフリーである。
【００２７】
ワイヤ用爪１３は、ワイヤ２３に突き当たる背面側の斜め形状の突き当て部１３ａと、主面側の係止部１３ｂを有する。
【００２８】
次に、外ケース１０を内ケース２０に装着する順序について説明する。順序は、（Ｂ）（Ｃ）の「当初位置Ｐ１」から「途中位置Ｐ２」を経て、「嵌合位置Ｐ３」となる順序である。
【００２９】
まず、「当初位置Ｐ１」は、ユーザが、外ケース１０を内ケース２０の上に置いた状態である。この状態では、突き当て部１３ａとワイヤ２３とが上下方向で対峙している。また、ガイド凹部１５とガイド凸部２５とが上下方向で対峙している。ワイヤ２３の端部２３ａ、２３ｃは、ストッパ２６と２８で係止しており、嵌合前の初期状態にある。
【００３０】
次に、ユーザは、外ケース１０を内ケース２０の方向に向けて押し込むと、突き当て部１３ａがワイヤ２３に突き当り、ワイヤ２３は、突き当て部１３ａに沿って、付勢力に逆らうが、当初位置Ｐ１から途中位置Ｐ２へと左方向（側面側から他の側面側への方向）へ押し出されて、（Ｂ）（Ｃ）の「途中位置Ｐ２」に示す状態となる。
【００３１】
ユーザは、さらに、外ケース１０を内ケース２０の方向に向けて押し込むと、（Ｂ）の「嵌合位置Ｐ３」に示した外ケース１０の状態より更に若干背面側の位置まで外ケース１０が若干たわんで押し込まれ、ワイヤ２３は、元来持っている右方向（側面側への方向）の付勢力により、係止部１３ｂに乗り上げた状態となる。この状態で、使用者が外ケース１０を離すと、若干下方向にたわんだ外ケース１０が上方向に戻り、ワイヤ２３のワイヤ用爪１３に接する部分も、当初位置Ｐ１に対して最終位置Ｐ３に持ち上げられて、（Ｂ）（Ｃ）の「嵌合位置Ｐ３」に示す状態となり、装着が完了する。
【００３２】
この「嵌合位置Ｐ３」の状態では、ワイヤ２３は、当初位置Ｐ１に対して最終位置Ｐ３への上方向（主面側への方向）に持ち上がっているので、その分の下方向（背面側への方向）の付勢力により、外ケース１０は下方向に押し付けられて、ガタが生じない。また、ワイヤ２３は、常時、右方向（側面側への方向）の付勢力を有しているので、ワイヤ用爪１３と外ケース１０を右方向（側面側への方向）へと押し出す力が作用するが、ガイド凸部２５がガイド凹部１５に係合しているので、ワイヤ用爪１３と外ケース１０が右方向へ飛び出すことを防止している。
【００３３】
このように、ワイヤ２３は、ストッパ２７部分を支点にして、端部２３ａは自在に動くことが可能であり、また、ワイヤ２３は、断面が円形であるので、ワイヤ用爪１３がワイヤ２３に突き当たった場合に、ワイヤ２３は割合フリーに動き、従って、ワイヤ用爪１３にダメージを与えることなく嵌合を行なうことができる。
【００３４】
次に、嵌合を取り外す方法について説明する。  
図５は、本発明の実施例１に係る嵌合を取り外すシステムを説明する図である。（Ａ）は携帯端末３００の外観図、（Ｂ）はパネル取替え治具４００の外観図、（Ｃ）は携帯端末３００にパネル取替え治具４００を装着したＸ−Ｘ図である。
【００３５】
（Ａ）携帯端末３００は、図１と同じであり、説明を省略する。  
（Ｂ）パネル取替え治具４００は、携帯端末３００の添付品として備えられるものである。パネル取替え治具４００は、Ｘ−Ｘ方向から見て、略Ｈ型の形状であり、中央部に第１段差部８１がある。両端部の第２段差部８２は、第１段差部８１に対して主面側方向に盛り上がった段差である。
【００３６】
（Ｃ）の装着状態に示すように、第１段差部８１は、携帯端末３００の内ケース２０の両側面間の幅部分が入る寸法である。第２段差部８２は、携帯端末３００の外ケース１０の外ケース側面端部１０ａが乗り上げる配置である。
【００３７】
次に、携帯端末３００の外ケース１０と内ケース２０の嵌合を取り外す手順について説明する。ユーザは、パネル取替え治具４００の第１段差部８１を、携帯端末３００の第１筐体１００と第２筐体２００の間でヒンジ１５０の近傍に挟んで配置し、（Ｃ）のような状態にする。
【００３８】
そして、ユーザは、ヒンジ１５０と反対側の第１筐体１００と第２筐体２００の端部を押さえて、折り畳む方向の力を加える。そうすると、内ケース２０はヒンジ１５０に固定されており、下方向の力が働くが、外ケース１０の外ケース側面端部１０ａは、第２段差部８２に乗り上げて上方向の力を受けて、外ケース１０と内ケース２０が離れる方向の力が働く。そして、ワイヤ２３が横方向にずれて、ワイヤ用爪１３から外れて、外ケース１０と内ケース２０との嵌合が外れる。
【００３９】
そして、ユーザは、外ケース１０に内包された着せ替えパネル１１を取り外して、新しい、着せ替えパネル１１に交換し、再び、ケース１０と内ケース２０とを嵌合させる。
【００４０】
本発明の実施例１によれば、嵌合部の一方にバネ性のワイヤを使用し、ワイヤの付勢力と移動の自由さ及びワイヤの円柱構造により、このワイヤに嵌合する樹脂性のワイヤ用爪（嵌合爪）との嵌合を滑らかに行なうことができ、嵌合の着脱に伴う嵌合部分、特に、樹脂性の爪の劣化を抑制することができる。
【実施例２】
【００４１】
図６は、本発明の実施例２に係る嵌合部５０およびヒンジ１５０の構造斜視図である。実施例１との違いは、嵌合の取り外しを、治具を用いずに、携帯端末３００のヒンジ１５０の部分に、取り外し構造を設けた点である。
【００４２】
嵌合部５０の外ケース１０側の部分は、実施例１と同じであり、図示および説明を省略する。嵌合部５０の内ケース２０側は、ワイヤ２３の端部２３ａが、ヒンジ１５０の中まで延伸している。
【００４３】
ヒンジ１５０は、その軸の内部に実装されるヒンジキャップ１５１と折り畳み用バネ１５２とヒンジスリブ１５３を、軸の両端部に有する。図６は、一方の端部のみを示す。ヒンジキャップ１５１には、ワイヤ２３の端部２３ａを収納係止する溝１５４が穿設されている。
【００４４】
ヒンジキャップ１５１は、本来は、折り畳み式携帯端末の折り畳みを開放するためのものであり、ユーザが、ヒンジ１５０の両端のヒンジキャップ１５１を軸の中央部に向かって押し込むことにより、折り畳みが開放されるものである。
【００４５】
次に、嵌合の取り外しについて説明する。  
図７は、本発明の実施例２に係る嵌合の取り外しを説明する図である。（Ａ）は、図６のＸ−Ｘ方向から見た図、（Ｂ）は、図６のＹ−Ｙ方向から見た図である。
【００４６】
（Ａ）Ｘ−Ｘにおいて、新たに、板バネ３０は、外ケース１０と内ケース２０との間に挟まれた状態で固定してあり、外ケース１０と内ケース２０とを離す方向の付勢力を有する。
【００４７】
（Ａ）（Ｂ）の「嵌合位置Ｐ３」の状態は、外ケース１０と内ケース２０が嵌合した状態である。この状態から、ユーザは、ヒンジキャップ１５１をヒンジ１５０の軸の内部に押し込むと、ワイヤ２３の端部２３ａは、側面から他の側面方向に向けて押し込まれて、（Ａ）（Ｂ）の「途中位置Ｐ２」の状態となる。この状態では、ワイヤ２３が左方向へ押されて、ワイヤ用爪１３との嵌合が外れた状態となる。そうなると、板バネ３０の付勢力により、外ケース１０が内ケース２０から離れて浮き上がる。
【００４８】
そして、ユーザは、外ケース１０に内包された着せ替えパネル１１を取り外して、新しい、着せ替えパネル１１に交換し、再び、ケース１０と内ケース２０とを嵌合させる。
【００４９】
本発明の実施例２によれば、実施例１の効果に加え、嵌合取り外し用の治具を設ける必要がない。  
なお、本発明の筐体は、携帯電話機、ＰＨＳ、データ端末などに応用することができる。
【図面の簡単な説明】
【００５０】
【図１】本発明の実施例１に係る携帯端末３００の外観斜視図。
【図２】本発明の実施例１に係る第１筐体１００の分解斜視図。
【図３】本発明の実施例１に係る第１筐体１００の構造図。
【図４】本発明の実施例１に係る嵌合部５０の構造斜視図。
【図５】本発明の実施例１に係る嵌合を取り外すシステムを説明する図。
【図６】本発明の実施例２に係る嵌合部５０およびヒンジ１５０の構造斜視図。
【図７】本発明の実施例２に係る嵌合の取り外しを説明する図。
【符号の説明】
【００５１】
１０  外ケース
１０ａ  外ケース側面端部
１１  着せ替えパネル
１２  副表示部用窓
１３  ワイヤ用爪
１３ａ  突き当て部
１３ｂ  係止部
１４  凸部１４
１５  ガイド凹部
２０  内ケース２０
２０ａ  内ケース側面端部
２１  副表示部
２２  目隠しパネル
２３  ワイヤ
２３ａ、２３ｃ  端部
２３ｂ  ループ部
２４  凹部２４
２５  ガイド凸部
２６、２７、２８  ストッパ
３０  板バネ
５０  嵌合部
７１  送話器
７２  テンキー
８１  第１段差部
８２  第２段差部
１００  第１筐体
１５０  ヒンジ
１５１  ヒンジキャップ
１５２  折り畳み用バネ
１５３  ヒンジスリブ
１５４  溝
２００  第２筐体
３００  携帯端末
４００  パネル取替え治具
【図１】
2010045635.tif 000003
【図２】
2010045635.tif 000004
【図３】
2010045635.tif 000005
【図４】
2010045635.tif 000006
【図５】
2010045635.tif 000007
【図６】
2010045635.tif 000008
【図７】
2010045635.tif 000009